(57)【要約】【課題】危険物貯蔵タンクに設置された散水設備において、散水ノズルを介した散水の障害となる錆等の固形物を散水配管内から強制的に排出し、錆等の固形物により散水ノズルに目詰まりが生じる事態の発生を確実に阻止した、危険物貯蔵タンクに設置された散水設備の錆取り装置及び散水設備の錆取り方法を提供する。【解決手段】本発明は、危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、前記散水ノズルは、前記散水配管の頂部に上向きに取り付けられ、前記散水配管の末端部に取り付けられたフランジに、散水配管の内壁の底面と略同一面の高さにブロー兼用ノズルを取り付けてある。【選択図】図４
2006263579.tif 000002
【特許請求の範囲】
【請求項１】
危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の頂部に上向きに取り付けられ、前記散水配管の末端部に取り付けられたフランジに、散水配管の内壁の底面と略同一面の高さにブロー兼用ノズルを取り付けてあることを特徴とする危険物貯蔵タンクに設置された散水設備の錆取り装置。
【請求項２】
危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の底部に下向きに取り付けてあることを特徴とする危険物貯蔵タンクに設置された散水設備の錆取り装置。
【請求項３】
危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の頂部に上向きに取り付けられ、前記散水配管の末端部に取り付けられたフランジに、散水配管の内壁の底面と略同一面の高さにブロー兼用ノズルが取り付けられ、
前記ブロー兼用ノズルからブローすることにより、前記散水配管内部の錆を除去することを特徴とする危険物貯蔵タンクに設置された散水設備の錆取り方法。
【請求項４】
危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の底部に下向きに取り付けられ、前記散水ノズルから散水することにより、前記散水配管内の錆を除去することを特徴とする危険物貯蔵タンクに設置された散水設備の錆取り方法。
【発明の詳細な説明】
【技術分野】
【０００１】
本発明は、浮屋根式の石油タンク等の危険物貯蔵タンクに設置された散水設備の錆取り装置及び散水設備の錆取り方法に関するものである。
【背景技術】
【０００２】
原油等の可燃物液体を貯蔵する大型の石油タンク等の危険物貯蔵タンクにおいては、蒸発損失を少なくすると共に、火災等が発生する危険性を回避するために、浮屋根構造を採用している。
【０００３】
しかし、この浮屋根構造を採用していたとしても、落雷や静電気、或いは、地震の揺れ等を原因として、浮屋根のシール部分から出火して火災が発生する危険性があった。
【０００４】
そして、初期火災については、火災部分が危険物貯蔵タンクの側壁周辺の一部分に限定されて比較的容易に消火できるが、時機を失すると危険物貯蔵タンクの全面火災になり、火災の消火が極めて困難になってしまう。
【０００５】
そのため、これらの大型の危険物貯蔵タンクには、消防法の規制もあり、泡消火設備の設置が義務付けられている。
【０００６】
また、危険物貯蔵タンクの初期火災の消火に効果を発揮するものとして、特許文献１に示すような浮屋根タンク用消火装置が存在する。この浮屋根タンク用消火装置は、危険物貯蔵タンクの浮屋根の上に設置されるものであり、火災判定手段を備えて、火災が発生したときに消火剤を放射するものである。
【０００７】
しかしながら、上述した浮屋根タンク用消火装置は、特に、初期火災の消火に効果を発揮するものであるから、初期消火に失敗して危険物貯蔵タンクの全面的な火災になってしまった場合は、全く用をなさないものであった。
【０００８】
また、危険物貯蔵タンクの全面が火災になった場合には、石油タンク基地のように複数の危険物貯蔵タンクが並設されている場所においては、火災が発生している危険物貯蔵タンクを消火するのは勿論のこと、隣接する危険物貯蔵タンクに火災が広がらないようにすることが重要な課題となっていた。
【０００９】
そこで、隣接する危険物貯蔵タンクに火災が広がらないようにするために、消防法の規制もあり、危険物貯蔵タンクの周囲に散水ノズルを取り付けた散水配管を配設し、特定の危険物貯蔵タンクに火災が発生した場合には、隣接する危険物貯蔵タンクに散水して冷却する措置が採られていた。
【００１０】
このような危険物貯蔵タンクにおける散水設備の一例を、図９に示す。この散水設備１００は、危険物貯蔵タンク１０１の周囲に３段の散水配管１０２を配設している。また、各段の各々の散水配管１０２は、危険物貯蔵タンク１０１の半周をカバーするように配設され、各々の散水配管１０２には、危険物貯蔵タンク１０１の壁面１０１ａに向けて複数の散水ノズル１０３が設置されている。
【００１１】
そして、特定の危険物貯蔵タンク１０１に火災が発生した場合には、これに隣接する危険物貯蔵タンク１０１において、散水設備１００を構成する散水ノズル１０３から危険物貯蔵タンク１０１の壁面１０１ａに向けて一斉に散水して危険物貯蔵タンク１０１を冷却し、火災の延焼等を防止していた。
【特許文献１】特開２０００−１４０１４２号公報
【発明の開示】
【発明が解決しようとする課題】
【００１２】
しかしながら、上述した従来の危険物貯蔵タンク１０１の散水設備１００においては、次のような弊害が生じていた。
【００１３】
危険物貯蔵タンク１０１の散水設備１００においては、消防法の規定もあり、定期的（１回以上／年）に散水試験を行う必要があった。この散水は、図１０（ａ）に示すように、散水配管１０２内に所定の圧力で水を送り込み、危険物貯蔵タンク１０１の壁面１０１ａに向けて各散水ノズル１０３から一斉に散水して、危険物貯蔵タンク１０１を冷却していた。
【００１４】
そして、散水試験の終了後は、ブロー処理を行って散水配管１０２内の水を抜き取っていたが、散水配管１０２の総延長は１９０ｍにもなるので、ブロー処理を行っても水を完全に抜き取ることができず、散水配管１０２内に多少の水が残ってしまう事態が生じていた。
【００１５】
また、散水配管１０２として、鉄管を使用しているため、残った水により散水配管１０２内に錆が発生し、残水と混じり合って固形物１０４を生成し、その固形物１０４が増長し易いということが問題となっていた。
【００１６】
そして、この散水試験を繰り返し行うと、図１０（ｂ）に示すように、生成された固形物１０４が増長し、この固形物１０４が水圧の影響を受けて散水配管１０２の末端側に溜まり易くなっていた。
【００１７】
そのため、長期間使用された散水配管１０２においては、図１０（ｃ）に示すように、散水配管１０２の末端側に近い位置に設置されている散水ノズル１０３が、この固形物１０４のために目詰まり状態となり、散水ノズル１０３から水が出なくなってしまうので、通水試験時や散水試験時に、散水ノズル１０３から噴出する法定冷却水量を下回ることとなっていた。
【００１８】
このような事態を回避するためには、散水配管１０２内に存在する固形物１０４を除去する必要があるが、実際に固形物１０４を除去する作業は、巨大な危険物貯蔵タンク１０１の周囲に足場を組み、作業員がこの足場に乗って散水配管１０２内の掃除をしなくてはならず、散水配管１０２内に残った固形物１０４の除去作業のためだけに多大な費用と手間が必要となっていた。
【００１９】
そこで、本発明は、如上のような従来存した問題点に鑑み創出されたもので、危険物貯蔵タンクに設置された散水設備において、散水ノズルを介した散水の障害となる錆等の固形物を散水配管内から強制的に排出し、錆等の固形物により散水ノズルに目詰まりが生じる事態の発生を確実に阻止した、危険物貯蔵タンクに設置された散水設備の錆取り装置及び散水設備の錆取り方法を提供するものである。
【課題を解決するための手段】
【００２０】
本発明に係る危険物貯蔵タンクに設置された散水設備の錆取り装置は、危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の頂部に上向きに取り付けられ、前記散水配管の末端部に取り付けられたフランジに、散水配管の内壁の底面と略同一面の高さにブロー兼用ノズルを取り付けてあることで、上述した課題を解決した。
【００２１】
また、危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の底部に下向きに取り付けてあることで、同じく上述した課題を解決した。
【００２２】
一方、本発明に係る危険物貯蔵タンクに設置された散水設備の錆取り方法は、危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の頂部に上向きに取り付けられ、前記散水配管の末端部に取り付けられたフランジに、散水配管の内壁の底面と略同一面の高さにブロー兼用ノズルが取り付けられ、
前記ブロー兼用ノズルからブローすることにより、前記散水配管内部の錆を除去することで、同じく上述した課題を解決した。
【００２３】
また、危険物貯蔵タンクの周囲に配置された散水配管と、前記散水配管に取り付けられて散水口が前記危険物貯蔵タンクの壁面に向けて配置された複数の散水ノズルと、を有する危険物貯蔵タンクに設置された散水設備において、
前記散水ノズルは、前記散水配管の底部に下向きに取り付けられ、前記散水ノズルから散水することにより、前記散水配管内の錆を除去することで、同じく上述した課題を解決した。
【発明の効果】
【００２４】
本発明は、危険物貯蔵タンクに設置された散水設備において、既設の散水配管の末端部にブローを兼ねたノズルを設置することにより、散水配管の末端部に溜まった錆等の固形物が排出されるので、散水ノズルに目詰まりが生じる事態の発生を確実に阻止できる。
【００２５】
その結果、危険物貯蔵タンクに設置された散水設備において、散水ノズルから散水する法定冷却水量を、いつでも充分に確保して、危険物貯蔵タンクを冷却することができる。そのため、特定の危険物貯蔵タンクに火災が発生した場合であっても、隣接する危険物貯蔵タンクにおいて自身の散水設備により充分に冷却して、火災の広がりを阻止している。
【００２６】
また、散水配管内の末端部に溜まった錆等の固形物を排出することで、残水と錆がまじり合って生じる固形物の増長を抑制させるので、散水配管内の状況が改善され、散水配管の延命化が図れるものである。
【００２７】
さらに、散水配管の末端部に設置するブロー兼用のノズルは、既に使用している散水ノズルと同一のノズルを使用するので、散水配管内の水圧を容易に計算できる。
【００２８】
加えて、本発明は、新規配管の設置時に、散水ノズルを散水配管の底部に下向きに取り付けることにより、通水終了時には、散水配管内の水が完全に排水されてしまうので、散水配管内に錆を含んだ固形物が溜まることがなく、散水ノズルに目詰まりが生じる事態の発生を確実に阻止して、危険物貯蔵タンクに設置された散水設備における散水ノズルから散水する法定冷却水量を充分に確保している。
【発明を実施するための最良の形態】
【００２９】
以下に、本発明を実施するための最良の形態を、図面に基づいて説明する。
【００３０】
図１は本発明に係る危険物貯蔵タンクに設置された散水設備の錆取り装置の構成を示す斜視図、図２は図１の危険物貯蔵タンクに設置された散水設備の錆取り装置の構成を示す平面図、図３は図１の危険物貯蔵タンクに設置された散水設備の錆取り装置に使用する散水ノズルの構成を示す拡大断面図、図４は図１の危険物貯蔵タンクに設置された散水設備の錆取り装置に使用するブロー兼用ノズルの取付け状態を示す断面図、図５は図１の危険物貯蔵タンクに設置された散水設備の錆取り装置における錆取り方法を示した説明図、図６は本発明に係る危険物貯蔵タンクに設置された散水設備の錆取り装置の第２の実施の形態の構成を示す斜視図、図７は図６の危険物貯蔵タンクに設置された散水設備の錆取り装置に使用する散水ノズルの構成を示す拡大断面図、図８は図６の危険物貯蔵タンクに設置された散水設備の錆取り装置における錆取り方法を示した説明図、図９は危険物貯蔵タンクに設置された従来の散水設備の構成を示す斜視図、図１０は危険物貯蔵タンクに設置された従来の散水設備に生じていた問題点を示した説明図である。
【００３１】
本発明は、危険物貯蔵タンク１に設置された散水設備の錆取り装置Ａに関するものである。この散水設備の錆取り装置Ａは、図１・図２に示すように、危険物貯蔵タンク１の周囲に３段に配置された散水配管２（２ａ，２ｂ，２ｃ）と、この３段の散水配管２（２ａ，２ｂ，２ｃ）の各々に取り付けられて散水口３ａが危険物貯蔵タンク１の壁面１ａに向けて配置された複数の散水ノズル３と、を有しており、前記散水ノズル３は、前記散水配管２（２ａ，２ｂ，２ｃ）の頂部に上向きに取り付けられ、前記散水配管２（２ａ，２ｂ，２ｃ）の末端部に取り付けられたフランジ４に、散水配管２の内壁の底面２ｅと略同一面の高さにブロー兼用ノズル５が取り付けられている。
【００３２】
この危険物貯蔵タンク１の散水設備を構成する散水配管２は、３段の散水配管２ａ，２ｂ，２ｃから構成されており、この散水配管２（２ａ，２ｂ，２ｃ）は、図２に示すように、危険物貯蔵タンク１の半周を各々カバーするように、危険物貯蔵タンク１の壁面１ａから一定の距離を保ちながら危険物貯蔵タンク１に巻回するような状態で配設されている。
【００３３】
また、これらの両側の散水配管２（２ａ，２ｂ，２ｃ）における中心部の各々は、危険物貯蔵タンク１に対して縦方向に配置された供給配管２ｄに連結されている。そして、災害発生時や法令点検時の通水試験時には、供給配管２ｄを介して各々の散水配管２（２ａ，２ｂ，２ｃ）に水が送り込まれるのである。この散水配管２（２ａ，２ｂ，２ｃ）は、例えば、直径が６１ｍの危険物貯蔵タンク１に設置されている散水設備においては、総延長が約１９０ｍ程度になる。
【００３４】
尚、図１に示す散水配管２（２ａ，２ｂ，２ｃ）は、危険物貯蔵タンク１の周囲に３段に配置されているが、これに限定されることはない。危険物貯蔵タンク１の周囲への散水配管２の配置は、１段、２段、４段以上の、いずれであっても差し支えない。
【００３５】
散水配管２（２ａ，２ｂ，２ｃ）に取り付けられている散水ノズル３は、図３に示すように、散水口３ａが危険物貯蔵タンク１の壁面１ａに向けて設置されている。また、散水ノズル３は、散水配管２の頂部に上向きに取り付けられている。
【００３６】
この散水ノズル３においては、２種類の口径の散水ノズル３が使用されている。例えば、図１に示すように、最下段に位置する１段目の散水配管２ａに取り付けられている散水ノズル３は、６５ｍｍの配管口径では、毎分３０リットルの水を危険物貯蔵タンク１の壁面１ａに向けて散水できるようになっている。また、散水配管２ａの上方に位置する２段目，３段目の散水配管２ｂ，２ｃに使用されている散水ノズル３は、４０ｍｍの配管口径では、毎分１５リットルの水を危険物貯蔵タンク１の壁面１ａに向けて散水できるようになっている。
【００３７】
そして、最下段に位置する１段目の散水配管２ａには、散水ノズル３が６７個取り付けられている。さらに、散水配管２ａの上方に位置する２段目の散水配管２ｂには、６７個の散水ノズル３が取り付けられ、また、散水配管２ｂの上方に位置する３段目の散水配管２ｃには、６５個の散水ノズル３が取り付けられており、災害時には、危険物貯蔵タンク１の壁面１ａに向けて充分な量の水を散水し、危険物貯蔵タンク１を冷却するものである。
【００３８】
また、この散水配管２（２ａ，２ｂ，２ｃ）の末端部には、図４に示すように、フランジ４が取り付けられている。このフランジ４には、ブロー兼用ノズル５が取り付けられている。このブロー兼用ノズル５は、最下段に位置する１段目の散水配管２ａに取り付けられている散水ノズル３と同じものが使用されている。
【００３９】
このブロー兼用ノズル５は、図４に示すように、散水配管２の内壁の底面２ｅと略同一面の高さになるように、フランジ４に設けたねじ孔４ａにブロー兼用ノズル５のねじ部５ｂを螺着したものである。また、ブロー兼用ノズル５の散水口５ａは、下向きにしてフランジ４に設置するものである。
【００４０】
このブロー兼用ノズル５の取り付けは、危険物貯蔵タンク１において既に設置されている散水設備に対して行うものである。すなわち、既に設置されている散水設備として配管されている散水配管２の末端部に位置しているフランジ４に、ねじ孔４ａを設けてブロー兼用ノズル５を螺着するものである。そのため、他の部分に大がかりな改造工事等を行う必要がなく、比較的に簡単に補修作業で足りるため、メンテナンスの容易化と補修作業のコスト削減を実現している。
【００４１】
以下に、上述のように構成された危険物貯蔵タンク１の散水設備の錆取り装置Ａにおける錆取り方法について説明する。
【００４２】
この錆取り方法は、危険物貯蔵タンク１の周囲に３段に配置された散水配管２と、この３段の散水配管２の各々に取り付けられて散水口３ａが危険物貯蔵タンク１の壁面１ａに向けて配置された複数の散水ノズル３と、を有する危険物貯蔵タンク１に設置された散水設備において、前記散水ノズル３は、前記散水配管２の頂部に上向きに取り付けられ、前記散水配管２の末端部に取り付けられたフランジ４に、散水配管２の内壁の底面２ｅと略同一面の高さにブロー兼用ノズル５が取り付けられており、前記ブロー兼用ノズル５からブローすることにより、散水配管２の内部に堆積している錆等の固形物６を除去するものである。
【００４３】
具体的には、図５（ａ）に示すように、散水配管２の末端部に錆が混じった固形物６が堆積した状態において、散水配管２の末端部に、ブロー兼用ノズル５を備えているフランジ４を取り付ける。この状態において、散水配管２内に所定の圧力で水を送り込むと、図５（ｂ）に示すように、散水配管２の末端に堆積している錆等の固形物６が、フランジ４に取り付けたブロー兼用ノズル５から水と一緒に排出されるのである。
【００４４】
従って、通水が繰り返された場合であっても、散水配管２の末端部に寄せ集められた錆が混じった固形物６が堆積することがなくなり、その結果として、散水配管２の末端部側に取り付けた散水ノズル３に目詰まりが発生することを防止できるのである。
【００４５】
次に、第２の実施の形態である危険物貯蔵タンク１に設置された散水設備の錆取り装置Ｂを、図６乃至図８に基づいて説明する。
【００４６】
この装置Ｂは、図６・図７に示すように、危険物貯蔵タンク１の周囲に３段に配置された散水配管２（２ａ，２ｂ，２ｃ）と、この３段の散水配管２（２ａ，２ｂ，２ｃ）の各々に取り付けられて散水口１３ａが危険物貯蔵タンク１の壁面１ａに向けて配置された複数の散水ノズル１３と、を有しており、前記散水ノズル１３は、散水配管２（２ａ，２ｂ，２ｃ）の底部に下向きに取り付けられている。
【００４７】
この危険物貯蔵タンク１に設置された散水設備の錆取り装置Ｂは、危険物貯蔵タンク１に散水設備を新設する場合に適用するものであり、錆取り装置Ｂを設置するためだけの付加的な特別の工事等を必要としないため、従来の散水設備を設置する際と同じコストで、錆等の固形物６が堆積しない散水設備を実現できるものである。
【００４８】
尚、図６に示す散水配管２（２ａ，２ｂ，２ｃ）は、危険物貯蔵タンク１の周囲に３段に配置されているが、これに限定されることはない。危険物貯蔵タンク１の周囲への散水配管２の配置は、１段、２段、４段以上の、いずれであっても差し支えない。
【００４９】
以下に、上述のように構成された危険物貯蔵タンク１の散水設備の錆取り装置Ｂにおける錆取り方法について説明する。
【００５０】
この錆取り方法は、危険物貯蔵タンク１の周囲に３段に配置された散水配管２（２ａ，２ｂ，２ｃ）と、この３段の散水配管２（２ａ，２ｂ，２ｃ）の各々に取り付けられて散水口が危険物貯蔵タンク１の壁面１ａに向けて配置された複数の散水ノズル１３と、を有する危険物貯蔵タンク１に設置された散水設備において、前記散水ノズル１３は、前記散水配管２（２ａ，２ｂ，２ｃ）の底部に下向きに取り付けられ、前記散水ノズル１３から散水することにより、前記散水配管２（２ａ，２ｂ，２ｃ）内の錆を除去するものである。
【００５１】
具体的には、図８（ａ）に示すように、散水配管２（２ａ，２ｂ，２ｃ）の末端部に錆が寄せ集められた状態において、散水配管２（２ａ，２ｂ，２ｃ）内に所定の圧力で水を送り込むと、各々の散水配管２（２ａ，２ｂ，２ｃ）に取り付けられた散水ノズル１３から散水され、通水の度毎に散水配管２（２ａ，２ｂ，２ｃ）の底部に存在した残水や錆は、下向きに取り付けられた散水ノズル１３の散水口１３ａより自然に排出されてしまうので、ブローにより完全に除去されるものである。
【００５２】
尚、本発明が設置される危険物貯蔵タンク１は、石油タンク、ＬＮＧタンク、ＬＰＧタンク等を広く包含するものである。
【産業上の利用可能性】
【００５３】
本発明は、危険物貯蔵タンクに設置された散水設備において、散水ノズルを介した散水の障害となる錆等の固形物を散水配管内から強制的に排出し、錆等の固形物により散水ノズルに目詰まりが生じる事態の発生を確実に阻止した、危険物貯蔵タンクに設置された散水設備の錆取り装置及び散水設備の錆取り方法として、種々の危険物貯蔵タンクに広く使用されるものである。
【図面の簡単な説明】
【００５４】
【図１】本発明に係る危険物貯蔵タンクに設置された散水設備の錆取り装置の構成を示す斜視図である。
【図２】図１の危険物貯蔵タンクに設置された散水設備の錆取り装置の構成を示す平面図である。
【図３】図１の危険物貯蔵タンクに設置された散水設備の錆取り装置に使用する散水ノズルの構成を示す拡大断面図である。
【図４】図１の危険物貯蔵タンクに設置された散水設備の錆取り装置に使用するブロー兼用ノズルの取付け状態を示す断面図である。
【図５】図１の危険物貯蔵タンクに設置された散水設備の錆取り装置における錆取り方法を示した説明図である。
【図６】本発明に係る危険物貯蔵タンクに設置された散水設備の錆取り装置の第２の実施の形態の構成を示す斜視図である。
【図７】図６の危険物貯蔵タンクに設置された散水設備の錆取り装置に使用する散水ノズルの構成を示す拡大断面図である。
【図８】図６の危険物貯蔵タンクに設置された散水設備の錆取り装置における錆取り方法を示した説明図である。
【図９】危険物貯蔵タンクに設置された従来の散水設備の構成を示す斜視図である。
【図１０】危険物貯蔵タンクに設置された従来の散水設備に生じていた問題点を示した説明図である。
【符号の説明】
【００５５】
１      危険物貯蔵タンク
１ａ    壁面
２      散水配管
２ａ    散水配管
２ｂ    散水配管
２ｃ    散水配管
２ｄ    供給配管
２ｅ    底面
３      散水ノズル
３ａ    散水口
４      フランジ
４ａ    ねじ孔
５      ブロー兼用ノズル
５ａ    散水口
５ｂ    ねじ部
６      固形物
１３      散水ノズル
１３ａ    散水口
１００      散水設備
１０１      危険物貯蔵タンク
１０１ａ    壁面
１０２      散水配管
１０３      散水ノズル
１０４      固形物
【図１】
2006263579.tif 000003
【図２】
2006263579.tif 000004
【図３】
2006263579.tif 000005
【図４】
2006263579.tif 000006
【図５】
2006263579.tif 000007
【図６】
2006263579.tif 000008
【図７】
2006263579.tif 000009
【図８】
2006263579.tif 000010
【図９】
2006263579.tif 000011
【図１０】
2006263579.tif 000012